(57)【要約】【課題】アクション領域を筆記領域としても使用することができ、筆記スペースの有効利用を図ることができ、利便性を向上することができる。【解決手段】被筆記媒体の第２領域への記載態様が、所定の態様条件を満たすか否かを判定し、所定の態様条件が満たされた場合には、第１領域への記載に対応したストロークデータを筆記データとするともに、第２領域への記載に対応したストロークデータは所望の処理の指示とみなし、所定の態様条件が満たされなかった場合には、第１領域への記載に対応したストロークデータと第２領域への記載に対応したストロークデータとの両方を筆記データとする。【選択図】図８
2016071758.tif 000002
【特許請求の範囲】
【請求項１】
被筆記媒体に対する筆記具の移動に伴う前記筆記具の複数の位置情報を取得する位置取得手段と、
前記位置取得手段で取得した前記複数の位置情報を含み、前記筆記具による被筆記媒体への記載に対応した、ストロークデータを生成するストロークデータ生成手段と、
を有する電子筆記装置であって
前記ストロークデータ生成手段により生成した前記ストロークデータのうち、外部記憶対象とする内容に対応した筆記データを一時的に記憶する記憶手段と、
前記記憶手段に記憶した前記筆記データを、外部記憶装置へ記憶するために通信により送信する通信手段と、
前記外部記憶対象とする内容の記載を行うための第１領域、及び、前記外部記憶対象とする内容の記載、若しくは、前記ストロークデータに対する所望の処理を指示する記載のいずれかを選択的に行うための第２領域、を備えた前記被筆記媒体を保持する保持手段と、
前記被筆記媒体が前記保持手段に保持された状態で前記ストロークデータ生成手段により生成された前記ストロークデータに基づき、前記被筆記媒体の前記第２領域への記載態様が、所定の態様条件を満たすか否かを判定する判定手段と、
前記判定手段により前記所定の態様条件が満たされると判定された場合には、前記ストロークデータ生成手段により生成された前記ストロークデータのうち、前記第１領域への記載に対応した前記ストロークデータを前記筆記データとするとともに、前記第２領域への記載に対応した前記ストロークデータを前記所望の処理の指示とみなし、前記判定手段により前記所定の態様条件が満たされないと判定された場合には、前記ストロークデータ生成手段により生成された前記ストロークデータのうち、前記第１領域への記載に対応した前記ストロークデータと前記第２領域への記載に対応した前記ストロークデータとの両方を前記筆記データとする、データ処理手段と、
を有することを特徴とする電子筆記装置。
【請求項２】
請求項１記載の電子筆記装置において、
前記保持手段は、前記第１領域及び前記第２領域の何れにも含まれない固有の保存指示領域を備え、
前記判定手段は、
前記保存指示領域への保存の処理が指示されたと判定した後に、
前記第２領域のデータに対する前記所望の処理の指示が入力されたかの判定を行ったうえで、前記所定の態様条件が満たされなかったと判定し場合には、前記第１領域及び前記第２領域の前記各ストロークデータを前記筆記データとして判定する処理を行う
ことを特徴とする電子筆記装置。
【請求項３】
請求項１または請求項２記載の電子筆記装置において、
前記所望の処理は、
前記筆記データの内容であって。
前記外部記憶装置のＴＯＤＯフォルダに振り分け記憶するための「ＴＯＤＯ」処理と、
前記外部記憶装置のメモフォルダに振り分け記憶するための「メモ」処理と、
前記外部記憶装置の予定フォルダに振り分け記憶するための「予定」処理と、
前記外部記憶装置のその他フォルダに振り分け記憶するための「その他」処理と、
を備えることを特徴とする電子筆記装置。
【請求項４】
請求項１乃至請求項３の何れか１の請求項記載の電子筆記装置において、
前記判定手段は、
（ｉ）前記被筆記媒体の前記第２領域に対応したストロークデータが複数でなく１つであること；
（ｉｉ）前記被筆記媒体の前記第２領域に設けられた、前記所望の処理を指示するための第１記入欄の中に、当該第１記入欄からはみ出すことなく記入が行われていること；
の少なくとも一方を前記所定の態様条件として、判定を行う
ことを特徴とする電子筆記装置。
【請求項５】
請求項１乃至請求項４の何れか１の請求項電子筆記装置において、
前記判定手段は、
（ｉｉｉ）前記被筆記媒体の前記第２領域に設けられた、前記第２領域を前記外部記憶対象とする内容の記載に使用するか否かを選択する第２記入欄への選択状態；
を前記所定の態様条件として、判定を行う
ことを特徴とする電子筆記装置。
【請求項６】
被筆記媒体に対する筆記具の移動に伴う前記筆記具の複数の位置情報を含み前記筆記具による前記被筆記媒体への記載に対応したストロークデータのうち、外部記憶対象とする内容に対応した筆記データを通信により送信する通信手段と、前記外部記憶対象とする内容の記載を行うための第１領域、及び、前記外部記憶対象とする内容の記載若しくは前記ストロークデータに対する所望の処理を指示する記載のいずれかを選択的に行うための第２領域、を備えた前記被筆記媒体を保持する保持手段と、を有する電子筆記装置に、情報送受信可能に接続された操作端末の演算手段に対し、
前記電子筆記装置の前記通信手段から受信した前記ストロークデータに基づき、前記被筆記媒体の前記第２領域への記載態様が、所定の態様条件を満たすか否かを判定する判定手順と、
前記判定手順で前記所定の態様条件が満たされると判定された場合には、前記通信手段から受信した前記ストロークデータのうち、前記第１領域への記載に対応した前記ストロークデータを前記筆記データとするとともに、前記第２領域への記載に対応した前記ストロークデータを前記所望の処理の指示とみなし、前記判定手順で前記所定の態様条件が満たされないと判定された場合には、前記ストロークデータのうち、前記第１領域への記載に対応した前記ストロークデータと前記第２領域への記載に対応した前記ストロークデータとの両方を前記筆記データとする、データ処理手順と、
を実行させるための電子筆記処理プログラム。
【発明の詳細な説明】
【技術分野】
【０００１】
本発明は、操作者による筆記内容を電子データ化する電子筆記装置に関する。
【背景技術】
【０００２】
操作者が筆記具を用いて筆記した内容を電子データ化する電子筆記装置（筆記入力装置）が既に知られている（例えば、特許文献１参照）。この従来技術では、被筆記媒体（普通紙）が、保持手段（手書き入力部のステージ）上に載置される。この状態で、操作者が、筆記具（電磁ペン）を用いて被筆記媒体に対し所望の筆記を行うと、手書き入力部の検出回路が上記筆記具の位置情報を検出し、複数の位置情報に基づき上記被筆記媒体への記載に対応したデータ（加筆データ）が生成される。筆記作業が終了すると、上記被筆記媒体への記載に対応したデータが、通信インタフェースを介して外部記憶装置（パソコン）に送信され、保存される。
【０００３】
この従来技術では、外部記憶装置に複数のファイルフォルダを設け、電子データ化した筆記内容を、操作者が意図するような分類に自動的に仕分けて保存するようにしている。
【先行技術文献】
【特許文献】
【０００４】
【特許文献１】特開２０１３−２５６５９号公報
【発明の概要】
【発明が解決しようとする課題】
【０００５】
しかしながら、筆記内容を電子データ化する場合に操作者が意図するような分類に自動的に仕分けて保存する場合、このような仕分け（以下、「アクション」と称する。）を可能とするためには、アクション内容を指定及び識別するための専用のアクション領域が必要であり、筆記スペースが阻害されてしまうという問題が生じていた。
【０００６】
本発明の目的は、アクション領域を筆記領域としても使用することができ、筆記スペースの有効利用を図ることができ、利便性を向上することができる電子筆記装置を提供することにある。
【課題を解決するための手段】
【０００７】
上記目的を達成するために、本願発明は、被筆記媒体に対する筆記具の移動に伴う前記筆記具の複数の位置情報を取得する位置取得手段と、前記位置取得手段で取得した前記複数の位置情報を含み、前記筆記具による被筆記媒体への記載に対応した、ストロークデータを生成するストロークデータ生成手段と、を有する電子筆記装置であって前記ストロークデータ生成手段により生成した前記ストロークデータのうち、外部記憶対象とする内容に対応した筆記データを一時的に記憶する記憶手段と、前記記憶手段に記憶した前記筆記データを、外部記憶装置へ記憶するために通信により送信する通信手段と、前記外部記憶対象とする内容の記載を行うための第１領域、及び、前記外部記憶対象とする内容の記載、若しくは、前記ストロークデータに対する所望の処理を指示する記載のいずれかを選択的に行うための第２領域、を備えた前記被筆記媒体を保持する保持手段と、前記被筆記媒体が前記保持手段に保持された状態で前記ストロークデータ生成手段により生成された前記ストロークデータに基づき、前記被筆記媒体の前記第２領域への記載態様が、所定の態様条件を満たすか否かを判定する判定手段と、前記判定手段により前記所定の態様条件が満たされると判定された場合には、前記ストロークデータ生成手段により生成された前記ストロークデータのうち、前記第１領域への記載に対応した前記ストロークデータを前記筆記データとするとともに、前記第２領域への記載に対応した前記ストロークデータを前記所望の処理の指示とみなし、前記判定手段により前記所定の態様条件が満たされないと判定された場合には、前記ストロークデータ生成手段により生成された前記ストロークデータのうち、前記第１領域への記載に対応した前記ストロークデータと前記第２領域への記載に対応した前記ストロークデータとの両方を前記筆記データとする、データ処理手段と、を有することを特徴とする。
【０００８】
本願発明の電子筆記装置においては、操作者が筆記具を用いて筆記した内容を電子データ化することができる。すなわち、操作者が、所定の紙媒体などからなる被筆記媒体を保持手段に置いて、その被筆記媒体に対し筆記具を用いて所望の記載を行うと、筆記動作により移動する筆記具の複数の位置情報が位置取得手段によって取得される。そして、その取得された複数の位置情報を用いて、データ生成手段が上記被筆記媒体への記載に対応した筆記データを生成する。この生成された筆記データは記憶手段に一時的に記憶される。
【０００９】
ここで、本願発明では、上記のようにして記憶された、記載内容に対応した筆記データを、外部記憶装置へ記憶するために通信により送信する際に、外部記憶装置における所望の格納先に振り分けて格納することが可能である。
【００１０】
すなわち、被筆記媒体には、外部記憶対象とする任意の文字といった筆記データに対応する内容を記載するための第１領域と、この筆記データに対応する内容の記載を可能とするとともにストロークデータに対する所望の処理を指示する記載のいずれかを選択的に行うための第２領域と、を備える。
【００１１】
この所望の処理には、例えば、筆記内容を電子データ化する場合に操作者が意図するような分類に自動的に仕分けて保存する場合の仕分け先を指定する（「ＴＯＤＯ」「メモ」「予定」「その他」等のアクション）ことができる。
【００１２】
この際、ストロークデータに基づいて被筆記媒体の第２領域における記載態様を判定し、その判定結果が所定の態様条件を満たしている場合には、第２領域内の起債に基づくストロークデータが所望の処理の指示、すなわち、アクションのためのものであるとみなす。
【００１３】
一方、ストロークデータに基づいて被筆記媒体の第２領域における記載態様を判定し、その判定結果が所定の態様条件を満たしていないと判定した場合には、そのストロークデータは筆記データであるとみなす。
【００１４】
このように、第２領域を所望の処理の指示として使用する場合と筆記データのための領域とで兼用することができ、筆記スペースの有効利用を図ることができ、利便性を向上することができる。
【発明の効果】
【００１５】
本発明によれば、アクション領域を筆記領域としても使用することができ、筆記スペースの有効利用を図ることができ、利便性を向上することができる。
【図面の簡単な説明】
【００１６】
【図１】本発明の一実施形態の電子筆記装置を備えた手書き入力システムの全体構成を表すシステム構成図である。
【図２】電子筆記装置の電気的構成を表す機能ブロック図である。
【図３】ストロークデータ取得の一例を説明する説明図である。
【図４】ストロークデータにおけるペン位置番号と座標情報との対応付けの一例を説明する説明図である。
【図５】紙媒体のフォーマット（様式）の例を表す説明図である。
【図６】ストロークデータがサーバの１つのフォルダへ振り分けられて保存される一例を表す説明図である。
【図７】ＣＰＵの実行する制御手順を表すメインルーチンのフローチャートである。
【図８】ＣＰＵの実行する制御手順を表す実施例１のアクション実行ルーチンのフローチャートである。
【図９】ＣＰＵの実行する制御手順を表す実施例２のアクション実行ルーチンのフローチャートである。
【図１０】ＣＰＵの実行する制御手順を表す実施例３のアクション実行ルーチンのフローチャートである。
【図１１】ＣＰＵの実行する制御手順を表す実施例４のアクション実行ルーチンのフローチャートである。
【図１２】ＣＰＵの実行する制御手順を表す実施例５のアクション実行ルーチンのフローチャートである。
【図１３】紙媒体に「アクション」チェックボックスを設けた場合の実施例５に適用される紙媒体のフォーマット（様式）の例を表す説明図である。
【図１４】ストロークデータ群がサーバの１つのフォルダへ振り分けられて保存される実施例５を表す説明図である。
【図１５】ＣＰＵの実行する制御手順を表す実施例６のアクション実行ルーチンのフローチャートである。
【図１６】紙媒体が複数の筆記領域に区切られている実施例７における、紙媒体のフォーマット（様式）の例を表す説明図である。
【発明を実施するための形態】
【００１７】
以下、本発明の一実施形態を図面を参照しつつ説明する。
【００１８】
＜システム概略＞
図１に、本実施形態の電子筆記装置２を備えた電子筆記装置１を示す。なお、以下の説明では、図１の紙面の上側、下側、右側、左側、手前側、奥行き側を、それぞれ、電子筆記装置２の上側、下側、右側、左側、手前側、奥行き側と定義して説明する。
【００１９】
図１に示すように、電子筆記装置１は、電子筆記装置２と、いわゆる電磁誘導式の電子ペン３（筆記具）と、表示装置４と、を備えている。なお、電子筆記装置２は、この例では、例えば、無線（又は有線）の通信により、ネットワークＮＷを介し、外部記憶装置としてのサーバＳＶに接続されている。
【００２０】
＜電子筆記装置２＞
電子筆記装置２は、平面視で上下方向に長い薄型の直方体状の形状を呈する左右見開きタイプであり、その見開き状態において左側（第１側）２Ａと、右側（第２側）２Ｂと、左側２Ａと右側２Ｂとを見開き状態で開閉可能に保持するヒンジ部（保持手段）２Ｃと、備えている。
【００２１】
電子筆記装置２の左側２Ａの手前側（見開き状態）には、その大部分を占めるように、凹部形状の載置部２４Ａが設けられている。
【００２２】
電子筆記装置２の右側２Ｂの右上部には、種々の情報を表示可能な小型の表示部２１が設けられている。また、右側２Ｂの表示部２１の左側には、ユーザが電子筆記装置２を操作するための入力部２２が設けられている。そして、表示部２１及び入力部２２の下側に、電子筆記装置２の手前側（見開き状態）の大部分を占めるように、凹部形状の載置部２４Ｂが設けられている。
【００２３】
各載置部２４Ａ，２４Ｂ（以下、左右両方を含めて「載置部２４」とも称する）には、被筆記媒体としての紙媒体７０（後述の図５参照）が載置されるとともに、載置部２４Ａ，２４Ｂとほぼ同一の範囲となるように座標検出部２５Ａ，２５Ｂ（以下、左右両方を含めて「座標検出部２５」とも称する）が設けられている。
【００２４】
座標検出部２５Ａ，２５Ｂは、電子ペン３の位置を表す座標情報（例えば、載置部２４Ａ，２４Ｂのそれぞれの左上部を原点（０，０）とする。）を検出する。そして、載置部２４Ａ，２４Ｂは、紙媒体７０を左側２Ａ及び右側２Ｂに適正に載置したときに、左ページ７０Ａ及び右ページ７０Ｂとして利用可能となる。この際、左右の各載置部２４は、それぞれに載置した紙媒体７０の左上の隅部が原点（０，０）に一致する姿勢で保持する。
【００２５】
また、座標検出部２５Ａ，２５Ｂは、後述する紙媒体７０の種類に応じて、筆記データとしてサーバＳＶへの記憶対象とする内容を記載するための第１領域、及び、筆記データとしてサーバＳＶへの記憶対象とする内容の記載、若しくは、ストロークデータに対する所望の処理を指示するための記載のいずれかを選択的に行うための第２領域、を機能的に備えている。したがって、座標検出部２５を備えた載置部２４は、各請求項において被筆記媒体としての紙媒体７０を保持する保持手段として機能する。
【００２６】
＜電子ペン３＞
以下の説明では、電子ペン３において、芯３１のペン先３２が設けられている方向を先端方向という。また、先端方向の反対方向を後端方向という。電子ペン３は、この例では、芯３１と、検出スイッチ３３と、ボタン型の電池３４と、コイル３５と、基板３６と、を備えている。芯３１は金属製であり、ペン先３２とインク収納部３７とで構成されている。また、芯３１は、電子ペン３の先端部の内部に設けられ、そのペン先３２が外部に突出している。インク収納部３７にはインクが収納され、当該インクはペン先３２に供給される。これにより、ユーザ（操作者）は、電子ペン３を使用して紙媒体７０に所望の文字や図形等を筆記することができる。
【００２７】
芯３１の後端方向には、基板３６が設けられている。基板３６の先端部には検出スイッチ３３が実装され、基板３６の後端方向には電池３４が設けられている。電池３４は基板３６に接続されており、電池３４のマイナス側の電極は、基板３６上の配線を介しコイル３５に電気的に接続されている。また、電池３４のプラス側の電極は、基板３６の配線を介し検出スイッチ３３に電気的に接続されている。検出スイッチ３３は、基板３６の配線を介しコイル３５に電気的に接続されている。コイル３５は、電子ペン３の内部の先端部において芯３１の周囲に巻回されている。
【００２８】
＜電子ペン３の座標情報の検出＞
ここで、芯３１は、図示しない弾性部材により常に先端方向に付勢されている。芯３１は、ユーザが紙媒体７０に文字等を筆記する場合の押圧力によって、上記弾性部材の付勢力に抗して電子ペン３の内部にやや退入する。この退入によって、芯３１の後端部が検出スイッチ３３を押下し、検出スイッチ３３がオン状態になる。これによって、電池３４とコイル３５とが導通して電池３４からコイル３５に向かって電流が流れ、コイル３５に電流が流れることで磁界が発生する。
【００２９】
電子筆記装置２の座標検出部２５は、上記のようにしてコイル３５から発生する磁界を電磁誘導に基づき検出する。なお、この検出は公知の手法で足りるので、詳細な説明は省略する。この座標検出部２５の検出結果に基づき、ＣＰＵ２０１は、ユーザが電子ペン３を用いて紙媒体７０へ筆記動作を行ったときの電子ペン３の移動に対応する、複数の位置情報（すなわち、上記座標情報）を取得する。なお、前述したように、本実施形態では、座標検出部２５の左上部の座標（Ｘ，Ｙ）を原点（０，０）とし、右方向をＸ軸、下方向をＹ軸とする座標系を用いる。すなわち、Ｘ座標の値が座標検出部２５（載置部２４）における左右方向の位置を表し、Ｙ座標の値が上下方向の位置を表す。
【００３０】
＜表示装置４＞
表示装置４は、電子筆記装置２に接続されており、ユーザが電子筆記装置２の載置部２４に載置した紙媒体７０の外観に相当する画像データを表示することができる。
【００３１】
＜電子筆記装置の電気的構成＞
図２を参照して、電子筆記装置２の電気的構成について説明する。図２に示すように、電子筆記装置２は、電子筆記装置２の制御を行うＣＰＵ２０１と、ＲＯＭ２０２と、種々のデータが一時的に記憶されるＲＡＭ２０３（記憶手段）と、フラッシュメモリ２０４と、入力部２２と、駆動回路２０６，２０９，２１０と、前述のネットワークＮＷを介したサーバＳＶとの情報送受信の制御を行う通信制御部２０７（通信手段）と、を備えている。
【００３２】
ＲＯＭ２０２、ＲＡＭ２０３、及びフラッシュメモリ２０４は、ＣＰＵ２０１に電気的に接続されている。ＲＯＭ２０２は、プログラム記憶領域２０２１と、筆記データ記憶領域２０２３とを備えている。プログラム記憶領域２０２１には、ＣＰＵ２０１が電子筆記装置２を制御するために実行する各種プログラムが記憶されている。筆記データ記憶領域２０２３には、後述する紙媒体７０のフォーマット情報に対応した画像のデータが記憶されている。
【００３３】
フラッシュメモリ２０４は、座標情報記憶領域２０４１を備えている。座標情報記憶領域２０４１には、座標情報データテーブル５３が記憶される。
【００３４】
入力部２２及び駆動回路２０６，２０９，２１０は、ＣＰＵ２０１と電気的に接続されている。駆動回路２０６，２０９は、それぞれ、表示部２１及び座標検出部２５を駆動するための電子回路である。駆動回路２１０は、表示装置４に画像を表示させるための電子回路である。
【００３５】
＜ストロークデータの生成＞
次に、ストロークデータについて説明する。ストロークデータは、上記座標検出部２５の検出結果に基づきＣＰＵ２０１で取得された複数の座標情報からなる、ペン位置データ列である。図３及び図４には、２つの文字「ａ」「ｂ」の例を示している。
【００３６】
図３及び図４において、文字「ａ」は第１ストロークデータに区分されており、電子ペン３による文字「ａ」の書き始めから書き終わりまでの一筆書き部分の軌跡を表すデータである。文字「ａ」は、時系列に沿って、ペン位置番号Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）を含む。また、文字「ｂ」は第２ストロークデータに区分されており、電子ペン３による文字「ｂ」の書き始めから書き終わりまでの一筆書き部分の軌跡を表すデータである。文字「ｂ」は、時系列に沿って、ペン位置番号Ｔ１２，Ｔ１３，・・，Ｔ２１それぞれに対応した、１０個の座標情報（Ｘ１２，Ｙ１２），（Ｘ１３，Ｙ１３），・・（Ｘ２１，Ｙ２１）を含む。このようにして、ＣＰＵ２０１は、座標検出部２５の検出結果に応じた複数の座標情報を用いて、ユーザが電子ペン３を用いて紙媒体７０へ筆記した内容に対応した、ストロークデータを生成する。
【００３７】
なお、本実施の形態においては、例えば、文字「ａ」における位置Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）の各々がストロークデータとする。また、文字「ａ」を構成する位置Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）の全体、すなわち、第１ストロークデータを文字「ａ」を構成するためのストロークデータの集合体とする。そして、文字「ａ」及び文字「ｂ」を構成するためのストロークデータの全てをストロークデータ群とする。なお、この文字等としてのストロークデータ群が筆記データとなる。
【００３８】
＜本実施形態の特徴＞
以上の基本構成において、本実施形態の特徴は、ユーザが紙媒体７０のチェックボックス（後述）にチェックをすることにより、電子ペン３による紙媒体７０（被筆記媒体）への実際の記載に対応したストロークデータ群（＝筆記データ）が、サーバＳＶの複数のフォルダ（格納先）のうちユーザの意図するフォルダに自動的に振り分けられて保存される。この際、判定手段としてのＣＰＵ２０１は、紙媒体７０の書き込み状態に応じて、サーバＳＶの複数のフォルダ（格納先）を指定するアクションとしての書き込みであるのか、筆記データとしての書き込みであるのかを判定するようになっている。以下、その詳細を順を追って説明する。
【００３９】
図５に、本実施形態で用いられる紙媒体７０の一例を示す。図示のように、この例では、紙媒体７０には、図６に示すように、ユーザが所望の文字・図形等（以下適宜、「書き込み文字」という）Ｒを自由に記載可能となるように、横罫のライン７１と、紙媒体７０の下端部近傍に位置する複数の（この例では４つの）チェックボックス７２ａ，７２ａ，７２ｃ，７２ｄと、紙媒体７０の下端部右隅近傍に位置する筆記データ保存指示用のチェックボックス７３ａと、が設けられている。なお、チェックボックス７３ａの近傍には、ライン７１は印刷されておらず、後述する第１領域及び第２領域の何れにも含まれない固有の保存指示領域となっている。
【００４０】
一方、図６に示すように、サーバＳＶには、ユーザがストロークデータの格納先として使用可能なフォルダとして、「ＴＯＤＯ」フォルダＦ１、「メモ」フォルダＦ２、「予定」フォルダＦ３、「その他」フォルダＦ４、の合計４つのフォルダが設けられている。
【００４１】
したがって、紙媒体７０は、これに対応したフォーマットに予め設定されており、「ＴＯＤＯ」チェックボックス７２ａと、「メモ」チェックボックス７２ｂと、「予定」チェックボックス７２ｃと、「その他」チェックボックス７２ｄと、がそれぞれ設けられている。
【００４２】
なお、これらのチェックボックス７２ａ〜７２ｄは、座標検出部２５Ａ，２５Ｂに対して、予め所定の座標値範囲に対応付けられている。同様に、筆記データ保存指示用のチェックボックス７３ａにおいても、予め所定の座標値範囲に対応付けられている。
【００４３】
これにより、ユーザが、紙媒体７０を電子筆記装置２の載置部２４に載置した状態で、電子ペン３を用いて紙媒体７０のチェックボックス７２ａ〜７２ｄ及びチェックボックス７３ａのいずれかにチェックマーク「レ」を記入すると、そのチェック動作に対応したストロークデータが生成される。
【００４４】
そして、ＣＰＵ２０１は、これらのチェックボックス７２ａ〜７２ｄ及びチェックボックス７３ａに対応した座標値範囲であるかによって、どのチェックボックス７２ａ〜７２ｄ及びチェックボックス７３ａにチェックマーク「レ」を記入したのか、適正な座標値範囲にチェックマーク「レ」を記入しているのかを判定することができる。
【００４５】
また、紙媒体７０は、筆記データ保存指示用のチェックボックス７３ａを含む所定の範囲及び周縁の余白部分を除く全範囲を筆記データとしてサーバＳＶへの記憶対象とする内容を記載するための第１領域７４Ａとしている。また、第１領域７４Ａとして利用可能である旨をユーザに認識させるために、第１領域７４Ａの全体にライン７１が印刷されている。
【００４６】
一方、チェックボックス７２ａ〜７２ｄは、例えば、ライン７１よりも薄い又は細い矩形枠が印刷されており、筆記データとしてサーバＳＶへの記憶対象とする内容を記載するための第１領域７４Ａの一部であるとともに、ストロークデータに対する所望の処理を選択的に指示するための第２領域７４Ｂとして兼用している。
【００４７】
したがって、第２領域７４Ｂとして兼用して使用する場合には、図６に示すように、ユーザが、例えば、第１領域７４Ａに８／６  ＡＭ１０：００〜  Ａ社プレゼン  ＰＭ２：００〜技術打合せ」との予定を書き込み（書き込み文字Ｒ）、チェックボックス７２ａ〜７２ｄのうち「予定」チェックボックス７２ｃにチェックを行い、かつ、「保存」チェックボックス７３ａにチェックを行う。
【００４８】
すると、ＣＰＵ２０１の制御によって、書き込み文字Ｒに対応したストロークデータが、サーバＳＶへ送信されると共に、サーバＳＶの「ＴＯＤＯ」フォルダＦ１、「メモ」フォルダＦ２、「予定」フォルダＦ３、及び「その他」フォルダＦ４、のうちの選択された「予定」フォルダＦ３へと自動的に振り分けられ、保存される。
【００４９】
次に、電子筆記装置２のＣＰＵ２０１が実行する制御手順として、第２領域７４Ｂを、第１領域７４Ａとして使用したのか、第２領域７４Ｂとして使用したのかの自動判定処理を、図７のメインルーチン及び実施例１としての図８のサブルーチンに基づいて説明する。
【００５０】
＜メイン制御フロー＞
上記を実現するために、電子筆記装置２のＣＰＵ２０１が実行する制御手順を、図６により説明する。
【００５１】
ます、ステップＳ１において、ＣＰＵ２０１は、例えば、電子筆記装置２の電源がオンされることを契機に、所定のイニシャライズ（初期化）を行い、ステップＳ２へと移行する。
【００５２】
ステップＳ２において、ＣＰＵ２０１は、操作者が筆記を行ったか否かを座標検出部２５で位置情報を取得したか否かで判定する。ＣＰＵ２０１は、位置情報を取得した場合には、筆記ありとの判定が満たされ（Ｓ２：Ｙｅｓ）、ステップＳ３へと移行する。一方、ＣＰＵ２０１は、位置情報を取得しなかった場合には、筆記ありとの判定が満たされず（Ｓ２：Ｎｏ）、ステップＳ２へとループする。なお、この手順が、各請求項記載の位置取得手段として機能する。
【００５３】
ステップＳ３において、ＣＰＵ２０１は、ステップＳ２で取得した位置情報に基づき、前述のようにして、ユーザの書き込み文字の内容に対応する位置情報に対してストロークデータを生成する。なお、この手順が、各請求項記載のストロークデータ生成手段として機能する。
【００５４】
ステップＳ４において、ＣＰＵ２０１は、生成したストロークデータを編集バッファとしてのＲＡＭ２０３に一時的に記憶する。なお、この手順が、各請求項記載の記憶手段として機能する。
【００５５】
そして、ステップＳ５において、ＣＰＵ２０１は、ステップＳ２で取得された座標情報とステップＳ３で生成されたストロークデータとに基づき、紙媒体７０に備えられた「保存」チェックボックス７３ａにチェッマーク「レ」が書き込まれたか否かを判定する。ＣＰＵ２０１は、「保存」チェックボックス７３ａにチェックがされていた場合には判定が満たされ（Ｓ５：Ｙｅｓ）、ステップＳ１０に移行する。なお、この手順が、各請求項記載の保存領域への保存の処理として機能する。
【００５６】
（サブ制御ルーチン：実施例１）
図８は、判定手段としてのＣＰＵ２０１が、ステップＳ４において編集バッファとしてのＲＡＭ２０３に記憶するとともにステップＳ３で生成したストロークデータに基づき、第２領域７４Ｂへの記載態様が所定の態様条件を満たすか否かを判定するルーチンのフロー図である。
【００５７】
ステップＳ１１において、ＣＰＵ２０１は、第２領域７４Ｂへの記載に基づくストロークデータの集合体、すなわち、一筆書きの数がいくつあるのかを検出し、ステップＳ１２へと移行する。
【００５８】
ステップＳ１２において、ＣＰＵ２０１は、ステップＳ１１で検出したストロークデータの集合体の数が１つであるか否かが判定される。ＣＰＵ２０１は、検出したストロークデータの集合体の数が１つである場合には、判定が満たされ（Ｓ１２：Ｙｅｓ）、ステップＳ１３へと移行する。一方、ＣＰＵ２０１は、検出したストロークデータの集合体の数が１つでなかった場合には、判定が満たされず（Ｓ１２：Ｎｏ）、ステップＳ１５へとスキップする。なお、この手順が、各請求項記載の位置取得手段として機能する。
【００５９】
ステップＳ１３において、ＣＰＵ２０１は、ステップＳ１１で検出したストロークデータの集合体がチェックボックス７２ａ〜７２ｄのうちの１つに対してのみであるか否かが判定される。ＣＰＵ２０１は、検出したストロークデータの集合体がチェックボックス７２ａ〜７２ｄのうちの１つに対してのみである場合には、判定が満たされ（Ｓ１３：Ｙｅｓ）、ステップＳ１４へと移行する。一方、ＣＰＵ２０１は、検出したストロークデータの集合体がチェックボックス７２ａ〜７２ｄのうちの１つに対してのみでなかった場合、すなわち、２つ以上に跨っている場合には、判定が満たされず（Ｓ１３：Ｎｏ）、ステップＳ１５へとスキップする。なお、このステップＳ１２及びステップＳ１３の手順が、各請求項記載の判定手順として機能する。
【００６０】
ステップＳ１４では、ＣＰＵ２０１は、上記判定手順により所定の態様条件が満たされると判定されたことから、ステップＳ３により生成されたストロークデータのうち、第１領域７４Ａへの記載に対応したストロークデータを筆記データとするとともに、第２領域７４Ｂへの記載に対応したストロークデータを所望の処理の指示とみなし、その対応するアクションを実行する。
【００６１】
なお、ここでのアクションには、どのチェックボックス７２ａ〜７２ｄにチェックマーク「レ」が記入されたかを判定し、該当するフォルダにストロークデータ群をサーバＳＶに送信して該当フォルダＦ１〜Ｆ４に記憶させる。
【００６２】
一方、ステップＳ１５において、ＣＰＵ２０１は、上記判定手順により所定の態様条件が満たされないと判定されたことから、ステップＳ３により生成されたストロークデータのうち、第１領域７４Ａへの記載及び第２領域７４Ｂへの記載の全てを筆記データとして、そのストロークデータ群をサーバＳＶに送信する。この際、記憶するフォルダは指定されていないこととなるが、１ページ全体に書き込んで第２領域７４Ｂまで使用するほどの長文であるとみなし、例えば、「その他」フォルダＦ３に記憶させる。
【００６３】
このように、実施例１では、ストロークデータの集合体の数が１つでありかつ２つ以上のチェックボックス７２ａ〜７２ｄにストロークデータの集合体（一筆書きの線分）が跨っていないことを条件として、何れか１つのチェックボックス７２ａ〜７２ｄにチェックマーク「レ」が書き込まれたとしてアクション指示との判定をし、ストロークデータの集合体の数が複数である場合、及び、２つ以上のチェックボックス７２ａ〜７２ｄにストロークデータの集合体（一筆書きの線分）が跨っていることを条件として、筆記データと判定することにより、アクション領域を筆記領域としても使用することができ、筆記スペースの有効利用を図ることができ、利便性を向上することができる。
【００６４】
なお、このステップＳ１４及びステップＳ１５の手順が、各請求項記載のデータ処理手段として機能する。なお、このステップＳ１４及びステップＳ１５の手順には、ＣＰＵ２０１により、通信制御部２０７を制御し、ネットワークＮＷを介し、サーバＳＶの選択された１つのフォルダ（「ＴＯＤＯ」フォルダＦ１、「メモ」フォルダＦ２、「予定」フォルダＦ３、「その他」フォルダＦ４のいずれか）にアクセスし、ステップＳ４でＲＡＭ２０３に記憶したストロークデータ群を、対応するフォルダＦ１〜Ｆ４に格納して保存するルーチンを含んでいる。したがって。ステップＳ１４及びステップＳ１５は、各請求項記載の通信手段としても機能する。
【００６５】
（他の実施の形態）
なお、本発明は、上記実施形態（実施例１）に限られるものではなく、その趣旨及び技術的思想を逸脱しない範囲内で種々の変形が可能である。以下、そのような変形例を順を追って説明する。なお、上記実施形態と同等の部分には同一の符号を付し、適宜説明を省略又は簡略化する。
【００６６】
（１）所定の態様条件がチェックマークが適正である場合：実施例２
図９は、判定手段としてのＣＰＵ２０１が、ステップＳ４において編集バッファとしてのＲＡＭ２０３に記憶するとともにステップＳ３で生成したストロークデータに基づき、第２領域７４Ｂへの記載態様が所定の態様条件を満たすか否かを判定するルーチンのフロー図である。
【００６７】
ステップ２１において、ＣＰＵ２０１は、チェックボックス７２ａ〜７２ｄの何れかにチェックマーク「レ」が記入されており、そのチェックマーク「レ」が１つのチェックボックス７２ａ〜７２ｄに収まっているか否かが判定される。ＣＰＵ２０１は、チェックマーク「レ」が１つのチェックボックス７２ａ〜７２ｄに収まっている場合には、判定が満たされ（Ｓ２１：Ｙｅｓ）、ステップＳ１４へと移行する。一方、ＣＰＵ２０１は、チェックマーク「レ」が１つのチェックボックス７２ａ〜７２ｄに収まっていなかった場合、すなわち、チェックマーク「レ」が１つのチェックボックス７２ａ〜７２ｄからはみ出すことなく記入が行われていない場合には、判定が満たされず（Ｓ２１：Ｎｏ）、ステップＳ１５へとスキップする。
【００６８】
（３）態様条件（ｉ），（ｉｉｉ）が適正である場合：実施例３
図１０は、判定手段としてのＣＰＵ２０１が、ステップＳ４において編集バッファとしてのＲＡＭ２０３に記憶するとともにステップＳ３で生成したストロークデータに基づき、第２領域７４Ｂへの記載態様が所定の態様条件を満たすか否かを判定するルーチンのフロー図である。
【００６９】
図１０の実施例２では、実施例１のステップＳ１３に変えて実施例２のステップ２１としたものである。
【００７０】
これによっても、ＣＰＵ２０１は、１つのストロークデータの集合体であるチェックマーク「レ」がチェックボックス７２ａ〜７２ｄに収まっている場合にはステップＳ１４へと移行し、そうでない場合にはステップＳ１５へとスキップさせることができる。
【００７１】
（４）所定の態様条件（ｉ）〜（ｉｉｉ）のすべてが適正である場合：実施例４
図１１は、判定手段としてのＣＰＵ２０１が、ステップＳ４において編集バッファとしてのＲＡＭ２０３に記憶するとともにステップＳ３で生成したストロークデータに基づき、第２領域７４Ｂへの記載態様が所定の態様条件を満たすか否かを判定するルーチンのフロー図である。
【００７２】
図１１の実施例４では、実施例１，実施例３のステップＳ１２，ステップＳ１３，ステップ２１の全てを所定の態様条件としたものである。
【００７３】
これによっても、ＣＰＵ２０１は、１つのストロークデータの集合体であるチェックマーク「レ」が１つのチェックボックス７２ａ〜７２ｄにはみ出すことなく収まっている場合にはステップＳ１４へと移行し、そうでない場合にはステップＳ１５へとスキップさせることができる。
【００７４】
（５）筆記アクションを指定しているか否か場合：実施例５
図１２は、判定手段としてのＣＰＵ２０１が、ステップＳ４において編集バッファとしてのＲＡＭ２０３に記憶するとともにステップＳ３で生成したストロークデータに基づき、第２領域７４Ｂへの記載態様が所定の態様条件を満たすか否かを判定するルーチンのフロー図である。
【００７５】
ここで、図１３及び図１４に示すように、紙媒体７０には、「保存」チェックボックス７３ａの上方に、第２領域７４Ｂを外部記憶対象とする内容の記載に使用するか否かを選択する第２記入欄としての「筆記」チェックボックス７３ｂが設けられている。
【００７６】
「筆記」チェックボックス７３ｂは、第２領域７４Ｂを所望の処理の指示として使用する場合、すなわち、チェックボックス７２ａ〜７２ｄを有効にする場合にはユーザによりチェックされない（図１３参照）。
【００７７】
これに対し、「筆記」チェックボックス７３ｂは、第２領域７４Ｂを筆記用の領域として使用する場合、すなわち、第１領域７４Ａとして使用するために、チェックボックス７２ａ〜７２ｄを無効にする場合にユーザによりチェックされる（図１４参照）。
【００７８】
これにより、図１２に示すように、ＣＰＵ２０１は、ステップＳ３１において、「筆記」チェックボックス７３ｂにチェックマーク「レ」が未記入であり（Ｓ３１：Ｎｏ）、かつ、１つのストロークデータの集合体であるチェックマーク「レ」が１つのチェックボックス７２ａ〜７２ｄにのみ記入されている場合にステップＳ１４のルーチンを実行する。
【００７９】
また、「筆記」チェックボックス７３ｂにチェックマーク「レ」が記入されている（Ｓ３１：Ｙｅｓ）場合、又は、１つのストロークデータの集合体であるチェックマーク「レ」が２つ以上のチェックボックス７２ａ〜７２ｄに記入されている場合にステップＳ１５のルーチンを実行する。なお、第２領域７４Ｂを外部記憶対象とする内容の記載に使用するか否かを選択するチェックマーク「レ」有無とその結果は、逆でもよい。すなわち、「筆記」チェックブックスではなく。「アクション」チェックボックスとしてもよい。さらに、「筆記」チェックボックス７３ｂに加えて、この「アクション」チェックボックス（図示せず）を別途設けてもよい。
【００８０】
（６）他のアクション指定である場合：実施例６
図１３は、判定手段としてのＣＰＵ２０１が、ステップＳ４において編集バッファとしてのＲＡＭ２０３に記憶するとともにステップＳ３で生成したストロークデータに基づき、第２領域７４Ｂへの記載態様が所定の態様条件を満たすか否かを判定するルーチンのフロー図である。
【００８１】
図５に示すように、第２領域７４Ｂの「その他」チェックボックス７２ｄの隣には、数字（又は英数字）によって予め規定されているアクション記号記入エリア７２ｅが設けられている。
【００８２】
これにより、図１５に示すように、ＣＰＵ２０１は、アクション記号記入エリア７２ｅにアクション番号（図５では、文字「２６」）をＯＣＲ機能を利用して解析（ステップＳ５１）し、アクション番号（または英数字）であれば（ステップＳ５２）、そのアクション番号をパラメータとして予め指定したスマートフォン等へのメール配信やゴミ箱（削除）処理等の他のアクションを実行（ステップＳ５３）する機能を付与してもよい。
【００８３】
これにより、限られたスペースを有効利用して多くのアクションを実行することが可能となる。
【００８４】
（７）他の紙媒体
図５及び図１３では、１つのフォルダに１ページ分のストロークデータ群を記憶するものを開示したが、例えば、図１６に示すように、１ページに複数の書き込み欄７５Ａ〜７５Ｄを設けてもよい。
【００８５】
また、以上においては、電子ペン３からの磁界を座標検出部２５で検出することによりユーザの筆記動作による電子ペン３の移動を検出したが、これに限られない。すなわち、ユーザの筆記動作時における電子ペン３の先端の動きを、超音波や赤外線やカメラ撮像結果を用いて検知する方式を用いてもよい。また、電子筆記装置２の載置部２４に公知の感圧手段を設け、ユーザの筆記動作時において電子ペン３の先端が紙媒体７０を押圧する力を上記感圧手段で検出することにより、電子ペン３の先端の動きを検出してもよい。この場合には、電子ペン３として、上記のような磁界を発生するためのコイル３５を備えたペンではなく、通常のボールペンなどの汎用のペンを用いることができる。
【００８６】
また、以上においては、チェックボックス７２ａ〜７２ｄのいずれかへのチェックと、「保存」チェックボックス７３ａへのチェックとを契機に、ＣＰＵ２０１が、対応する書き込み文字ＲをサーバＳＶへ送信してフォルダＦ１〜Ｆ４のいずれかに格納したが、これに限られない。すなわち、上記フォルダＦ１〜Ｆ４のようなユーザの意図する分類の複数のフォルダを、電子筆記装置２の内部（例えば上記フラッシュメモリ２０４の座標情報記憶領域２０４１等）に設け、上記同様の契機により、当該電子筆記装置２の内部の複数のフォルダに自動的に仕分けて格納するようにしてもよい。さらにはその電子筆記装置２の内部の複数のフォルダに一旦記憶させておき、その後、何らかの契機により、サーバＳＶの上記フォルダＦ１〜Ｆ４へと出力して格納するようにしてもよい。この場合、一旦記憶させる複数のフォルダを、電子筆記装置２の外部の、別途のＰＣ端末や携帯端末やスマートフォン等に設けてもよい。
【００８７】
また、電子筆記装置１は、インテリジェンスな機能はなく、単にストロークデータ（座標列）をサーバＳＶに丸投げするのみで、受け取ったサーバＳＶ側で、上記のような発明の処理（兼用領域の記載を上記２つの用途のいずれに取り扱うべきかを判定し、処理する）を行うようにしてもよい。
【００８８】
また、チェックマークは「レ」に限定されず、例えば、はみ出していないことを条件として「×」や「〇」等でも対応は可能であるが、ストローク数が１つであるか否かの判定ルーチン（ステップＳ１２）を実行する場合には、「〇」等の一筆書きであるのがより好ましい。
【００８９】
また、以上既に述べた以外にも、上記実施形態や各変形例による手法を適宜組み合わせて利用しても良い。
【００９０】
その他、一々例示はしないが、本発明は、その趣旨を逸脱しない範囲内において、種々の変更が加えられて実施されるものである。
【符号の説明】
【００９１】
２                電子筆記装置
３                電子ペン（筆記具）
２４              載置部（保持手段）
７０              紙媒体（被筆記媒体）
７２ａ            「ＴＯＤＯ」チェックボックス（所望の処理）
７２ｂ            「メモ」チェックボックス（所望の処理）
７２ｃ            「予定」チェックボックス（所望の処理）
７２ｄ            「その他」チェックボックス（所望の処理）
７３ａ            「保存」チェックボックス
７３ｂ            「筆記」チェックボックス
２０３            ＲＡＭ（記憶手段）
２０７            通信制御部（通信手段）
Ｆ１〜４          フォルダ（格納先）
ＳＶ              サーバ（外部記憶装置）
【図１】
2016071758.tif 000003
【図２】
2016071758.tif 000004
【図３】
2016071758.tif 000005
【図４】
2016071758.tif 000006
【図５】
2016071758.tif 000007
【図６】
2016071758.tif 000008
【図７】
2016071758.tif 000009
【図８】
2016071758.tif 000010
【図９】
2016071758.tif 000011
【図１０】
2016071758.tif 000012
【図１１】
2016071758.tif 000013
【図１２】
2016071758.tif 000014
【図１３】
2016071758.tif 000015
【図１４】
2016071758.tif 000016
【図１５】
2016071758.tif 000017
【図１６】
2016071758.tif 000018